(57)【要約】【課題】こたつの温度設定範囲及び昇温速度の設定範囲を広くすることができて、使い勝手の向上したこたつ用ヒータユニットを提供する。【解決手段】こたつ用ヒータユニットは、こたつ用布団で囲まれたこたつ内部空間に配置されたこたつ加熱用の発熱体２、３と、前記こたつ内部空間に配置され、且つ前記発熱体２、３に直列に接続されたサーモスタット４と、このサーモスタットに接続された温度調節部５と、この温度調節部５よりも電源コードの上流側であって前記こたつ内部空間外において接続された電力制御型の温度コントローラ９とを備える。【選択図】図１
0003154750.tif 000002
【実用新案登録請求の範囲】
【請求項１】
こたつ用布団で囲まれたこたつ内部空間に配置されたこたつ加熱用の発熱体と、前記こたつ内部空間に配置され、且つ前記発熱体に直列に接続されたサーモスタットと、このサーモスタットに接続された調節温度値可変設定部と、調節温度値可変設定部よりも電源コードの上流側であって前記こたつ内部空間外において接続された温度コントローラとを備えたこたつ用ヒータユニット。
【請求項２】
前記温度コントローラは電力制御を実行することを特徴とする請求項１に記載のこたつ用ヒータユニット。
【考案の詳細な説明】
【技術分野】
【０００１】
本考案は、温度調節が正確に行なえるこたつ用ヒータユニットに関する。
【背景技術】
【０００２】
従来この種のこたつ用ヒータユニットは、こたつ用布団で覆われるやぐらこたつの本体の下面側に、反射体を有する保護ケースが固定されている。その保護ケース内に赤外線ヒータのような発熱体が配置され、電源プラグと発熱体とを電源コードにて接続している。そして、特許文献１や２のように、保護ケースの一側部の内側にサーモスタットが配置され、保護ケースの一側部外側に突出する温度調節用摘みにより、発熱体のオンオフの温度調節を可能としたタイプがある。
【０００３】
他方、特許文献３や４のように、発熱体（ヒータユニット）と電源プラグとを連結する電源コードの途中などに温度制御部が設けられ、別途の赤外線等のリモートコントローラ等からの操作により、温度制御部に温度の上昇・下降や電源オンオフなどの温度制御の指令信号を発するタイプのものも知られている。
【先行技術文献】
【特許文献】
【０００４】
【特許文献１】実開平７−１８１１０号公報（図１参照）
【特許文献２】特開平１０−３３２１５７号公報（図１参照）
【特許文献３】実開平２−１１４８０６号公報（第１図、第４図参照）
【特許文献４】特開２００１−１２７５０号公報（図５等参照）
【考案の概要】
【考案が解決しようとする課題】
【０００５】
前者（特許文献１や２）の構成では、サーモスタットが発熱体の近くに配置されているため、こたつ用布団で覆われたこたつ内部空間の温度とほぼ同じ温度をサーモスタットが検知して、電源オンオフすることができて、使用者の温度の好みに設定し易い。その反面、温度調節のためには、その都度、こたつ用布団より内部に手を入れて、温度調節用摘みを操作しなければならず、使い勝手が悪いという問題があった。
【０００６】
また、前記前者では、温度変化曲線を示す図３の一点鎖線Ａ及びＢで示すように、こたつ内部空間の設定温度の高低（Ｔ１，Ｔ２）に拘らず、通常１００Ｖの交流商用電源からの許容範囲内の電流が発熱体に供給されるから、こたつ内部空間の温度上昇が急速に進み、サーモスタットのオンオフ動作に従って、発熱体への供給電力のオンオフを繰り返す。しかしながら、サーモスタットの温度調節可能範囲が狭く、特に、体温に近いような低温（Ｔ３）に設定する調節ができないという問題と、サーモスタットのオンオフ動作によるスイッチ音が頻繁に繰り返されるため、ユーザにとってその音が耳障りになるという問題があった。
【０００７】
後者（特許文献３や４）の構成では、温度制御部の回路で供給電力を強弱調節するものであり、発熱体（ヒータユニット）の内部またはそれに近接する個所にセンサーが取り付けられている。このセンサーによって温度または供給する電流を検知して、温度制御部から発熱体（ヒータユニット）への供給電力を強弱調節する構成である。従って、図３の二点鎖線Ｃで示すように、設定温度を高く（Ｔ１）  すると、発熱体の温度上昇が急速となり、こたつ内部空間の設定温度（Ｔ１）を大きく超えやすく  所定の設定温度に落ち着く（低下する）までの所要時間が長くなるという問題があった。
【０００８】
逆に設定温度を体温より若干高いような低温（Ｔ３）にすると、発熱体（ヒータユニット）への供給電力が極端に低くなり、こたつ内部空間の設定温度（Ｔ１）に到達するまでの時間が長くなる。従って、戸外から帰って来た人がこたつに入ってもなかなか温もらないから、リモートコントローラ等からの操作により、設定温度を一旦上昇させた後、頃合いを計って、こたつ内部空間の設定温度を低下させる操作が必要となるのであった。
【０００９】
本考案は、従来技術の上記のような不具合を解消することのできるこたつ用ヒータユニットを提供することを目的とするものである。
【課題を解決するための手段】
【００１０】
前記目的を達成するするため、請求項１に記載の考案のこたつ用ヒータユニットは、こたつ用布団で囲まれたこたつ内部空間に配置されたこたつ加熱用の発熱体と、前記こたつ内部空間に配置され、且つ前記発熱体に直列に接続されたサーモスタットと、このサーモスタットに接続された調節温度値可変設定部と、調節温度値可変設定部よりも電源コードの上流側であって前記こたつ内部空間外において接続された温度コントローラとを備えたものである。
【００１１】
請求項２に記載の考案は、請求項１に記載のこたつ用ヒータユニットにおいて、前記温度コントローラは電力制御を実行することを特徴とするものである。
【考案の効果】
【００１２】
請求項１の考案によれば、こたつ用ヒータユニットにおける発熱体に直列に接続されたサーモスタットと、このサーモスタットに接続された調節温度値可変設定部と、調節温度値可変設定部よりも電源コードの上流側であって前記こたつ内部空間外において接続された温度コントローラとを備えたものであるから、従来のサーモスタットだけでの温度制御に比べて温度制御範囲を広くすることができるとともに、サーモスタットのオンオフ動作を少なくできる。また、従来のリモートコントローラだけによる温度制御に比べて、低い設定温度であっても温度上昇速度を速くでき、且つこたつ内の温度を広い範囲で正確に設定維持できるなど、ユーザの使い勝手が向上するという効果を奏する。
【００１３】
請求項２の考案によれば、温度コントローラは電力制御を実行するものであるから、電力消費も少なくて済むという効果を奏する。
【図面の簡単な説明】
【００１４】
【図１】本願考案のこたつ用ヒータユニットの上ケースを除いた状態の上面図である。
【図２】本願考案のこたつ用ヒータユニットの回路図である。
【図３】従来技術及び本願考案のこたつ用ヒータユニットの温度（縦軸）と時間経過（横軸）とで示す温度変化曲線の図である。
【考案を実施するための形態】
【００１５】
次に、実施例を示す図１を参照しながら、本願考案のこたつ用ヒータユニットの構成について説明する。
【００１６】
本願考案のこたつ用ヒータユニットは、図示しないやぐらこたつの本体の下面に固定する平面視矩形状の金属製の保護ケース（図１では上側ケースを取り除いている）１内に、２本の赤外線ヒータ等の発熱体２、３が平行状にて固定されている。発熱体２、３はそれぞれ、３００Ｗである。従って、保護ケース１ひいては発熱体２、３は、こたつ用布団（不図示）で囲まれたこたつ内部空間に配置されることになる。
【００１７】
保護ケース１の一側部の内側には、サーモスタット４が配置され、保護ケース１の一側部の縦壁面には可変抵抗器等の温度調節部５と温度調節用摘み６が調節温度値可変設定部として取り付けられている。発熱体２、３が直列に接続され、且つこれら発熱体２、３に対してサーモスタット４が直列に接続されている。
【００１８】
保護ケース１の他側部に固定された電源コード８の延長部には、こたつ用布団（不図示）の外側に位置すべき温度コントローラ９が電源プラグ１０との間に接続されている。従って、サーモスタット４と調節温度値可変設定部としての温度調節部５と温度コントローラ９とは直列に接続されていることになる。温度コントローラ９のケース１１には、電力制御のための可変抵抗器１５のダイヤル１２と電源オンオフ用の電源スイッチ１３とが配置されている。温度コントローラ９及び電源プラグ１０付きの電源コード８を保護ケース１に固定的に接続しておけば、夏等の不使用時に、電源コード８や温度コントローラ９をこたつ用ヒータユニットから外して別の個所に格納してしまい、いざ使用する時になって電源コード８及び温度コントローラ９を探す手間が省ける。温度コントローラ９は一般的に他の仕様のものを流用できないから、本考案のように、こたつ用ヒータユニットから外れないようにしておくことで、再使用に際して部品の紛失という不具合を解消できるというメリットがある。
【００１９】
図２は本願考案のこたつ用ヒータユニットの回路図であって、発熱体２、３及びサーモスタット４（及び温度調節部５）を有する本体回路部１４と温度コントローラ９部として示している。
【００２０】
温度コントローラ９には、電源スイッチ１３に過電流でオフとなるヒューズ１６が接続され、その下流側にダイオード１７と抵抗１８及び発光ダイオード１９が並列接続されている。またその下流側には、コイル２０を介して可変抵抗器１５、定電圧ダイオード２１やトライアックＩＣ２２等からなる電力コントロール部２３が接続されている。なお、符合２４、２５は回路保護用のバリスタである。
【００２１】
次に、本願考案の本体回路部１４と温度コントローラ９部によるこたつの温度調節の動作について、温度変化曲線を示す図３を参照しながら説明する。
【００２２】
例えば、温度調節部５で設定温度Ｔ１のような高い温度に設定し、且つ温度コントローラ９部のダイヤル１２を中電力乃至低電力の個所にセットしたときには、供給電力が少ないため、図３の実線Ｅで示す温度変化曲線のように、発熱体２、３の温度上昇速度が遅い状態で設定温度Ｔ１に近づき、以後サーモスタット４のオンオフ動作により設定温度Ｔ１で安定する。
【００２３】
温度調節部５で設定温度Ｔ３のような体温に近いような低温に設定し、且つダイヤル１２を高電力の個所にセットしたときには、供給電力を大きくして図３の実線Ｆで示す温度変化曲線のように、温度上昇速度が速い状態で、設定温度Ｔ１に近けることができる一方、それ以後、サーモスタット４のオンオフ動作により設定温度Ｔ３で安定させることができる。
【００２４】
温度調節部５で設定温度Ｔ１のような高い温度に設定し、且つ温度コントローラ９部のダイヤル１２を高電力の個所にセットしたときには、従来のサーモスタットだけのときと同様な一点鎖線Ａで示すごとく、高速で昇温し、以後サーモスタット４のオンオフ動作により設定温度Ｔ１で安定させることができる。
【００２５】
このように、本願考案に従えば、温度可変調節可能なサーモスタット４と電力制御の温度コントローラ９との直列的組合せにより、設定温度の範囲が広い状態のもとで、温度上昇速度も広い範囲で調節可能となり、ユーザにとって使い勝手が非常に良くなる。
【００２６】
なお、温度コントローラ９部の電流量を変える電力制御により、設定温度になってから時間の経過により、供給される電力を小さくできることから、サーモスタット４のオンオフ動作頻度も少なくできて、スイッチ音に悩まされることがない。
【００２７】
また、温度コントローラ９が何らかの原因で故障し、交流商用電源（１００Ｖ）の電流が直接ヒータユニットに連続的に供給された場合でも、サーモスタット４の働きがあるかぎり、異常高温や異常動作は防止できて安全性が高いのである。
【００２８】
なお、温度コントローラ９に対して赤外線等の無線信号を送信するリモートコントローラを備えるようにしてもよい。
【符号の説明】
【００２９】
１    保護ケース
２、３    発熱体
４    サーモスタット
５    温度制御部
６    摘み
８    電源コード
９    温度コントローラ
１２  ダイヤル
１４  本体回路
１５  可変抵抗器
２３  電力コントロール部
【図１】
0003154750.tif 000003
【図２】
0003154750.tif 000004
【図３】
0003154750.tif 000005